(57)【要約】【課題】  複数の給紙装置を備えた印刷システムにおいて、所定の給紙装置で用紙切れが発生した際に、ユーザが意図しない用紙での印刷を防ぐ。【解決手段】  複数の給紙装置を備えた印刷装置と印刷制御装置とを有する印刷システムであって、前記複数の給紙装置のうち１の給紙装置は、特定種類の用紙専用の給紙装置であり、前記特定種類の用紙での印刷の指示を受け付ける印刷指示受付手段と、前記特定種類の用紙専用の給紙装置からの給紙による印刷途中で用紙切れが発生した場合に、印刷を中断し、前記特定種類の用紙がなくなったことをユーザに通知する制御手段とを備えることを特徴とする印刷システム。【選択図】  図１
2006088337.tif 000002
【特許請求の範囲】
【請求項１】
複数の給紙装置を備えた印刷装置と印刷制御装置とを有する印刷システムであって、
前記複数の給紙装置のうち１の給紙装置は、特定種類の用紙専用の給紙装置であり、
前記特定種類の用紙での印刷の指示を受け付ける印刷指示受付手段と、
前記特定種類の用紙専用の給紙装置からの給紙による印刷途中で用紙切れが発生した場合に、印刷を中断し、前記特定種類の用紙がなくなったことをユーザに通知する制御手段とを備えることを特徴とする印刷システム。
【請求項２】
複数の給紙装置を備え、前記複数の給紙装置のうち１の給紙装置は特定種類の用紙専用の給紙装置である印刷装置を制御する印刷制御装置であって、
前記特定種類の用紙での印刷の指示を受け付ける印刷指示受付手段と、
前記特定種類の用紙専用の給紙装置からの給紙による印刷途中で用紙切れが発生したことを前記印刷装置から通知されると、印刷を中断し、前記特定種類の用紙がなくなったことをユーザに通知する制御手段とを備えることを特徴とする印刷制御装置。
【請求項３】
複数の給紙装置を備え、前記複数の給紙装置のうち１の給紙装置は特定種類の用紙専用の給紙装置である印刷装置を制御する印刷制御装置としてコンピュータを機能させるプリンタドライバであって、
前記特定種類の用紙での印刷の指示を受け付ける印刷指示受付手段と、
前記特定種類の用紙専用の給紙装置からの給紙による印刷途中で用紙切れが発生したことを前記印刷装置から通知されると、印刷を中断し、前記特定種類の用紙がなくなったことをユーザに通知する制御手段としてコンピュータを機能させることを特徴とするプリンタドライバ。
【請求項４】
請求項３に記載のプリンタドライバであって、
前記制御手段は、前記特定種類の用紙がなくなったことをユーザに通知するとともに、他の給紙装置からの給紙により印刷を再開させるか否かの指示を受け付けることを特徴とするプリンタドライバ。
【請求項５】
請求項４に記載のプリンタドライバであって、
前記制御手段は、他の給紙装置からの給紙により印刷を再開させない指示を受け付けた場合には、前記特定種類の用紙専用の給紙装置からの給紙により印刷を再開させることを特徴とするプリンタドライバ。
【請求項６】
複数の給紙装置を備えた印刷装置であって、
前記複数の給紙装置のうち１の給紙装置は、特定種類の用紙専用の給紙装置であり、
前記特定種類の用紙での印刷の指示を受け付ける印刷指示受付手段と、
前記特定種類の用紙専用の給紙装置からの給紙による印刷途中で用紙切れが発生した場合に、印刷を中断し、前記特定種類の用紙がなくなった旨の情報を出力する制御手段とを備えることを特徴とする印刷装置。
【請求項７】
請求項６に記載の印刷装置であって、
筐体の前面に排紙口を有し、
前記特定種類の用紙は普通紙であり、前記特定種類の用紙専用の給紙装置は筐体の前面に設けられていることを特徴とする印刷装置。
【請求項８】
請求項７に記載の印刷装置であって、
前記複数の給紙装置の他の給紙装置は、筐体の背面に設けられていることを特徴とする印刷装置。
【請求項９】
請求項６に記載の印刷装置であって、
前記制御手段は、
前記特定種類の用紙がなくなった旨の情報を出力した後、印刷指示受付手段が他の給紙装置からの給紙により印刷を再開する旨の指示を受け付けると、他の給紙装置からの給紙により印刷を再開することを特徴とする印刷装置。
【請求項１０】
請求項６に記載の印刷装置であって、
前記制御手段は、
前記特定種類の用紙がなくなった旨の情報を出力した後、印刷指示受付手段が他の給紙装置からの給紙により印刷を再開しない旨の指示を受け付けると、前記特定種類の用紙専用の給紙装置からの給紙により印刷を再開することを特徴とする印刷装置。
【発明の詳細な説明】
【技術分野】
【０００１】
本発明は、印刷システムに係り、特に、複数の給紙装置を備えた印刷システムにおける給紙制御に関する。
【背景技術】
【０００２】
オフィス用途向けに開発された印刷装置は、多量の印刷を行なったり、複数サイズの印刷用紙に対応するため複数の自動給紙装置（オートシートフィーダ）を備えるものが多い。このような印刷装置では、一般に、複数の自動給紙装置にそれぞれ異なるサイズの用紙をセットしておくことも、Ａ４等の印刷頻度の高いサイズの用紙を複数の自動給紙装置にセットしておくこともできるようになっている。
【０００３】
同一のサイズを複数の自動給紙装置にセットした場合には、一方の自動給紙装置が用紙切れになった場合でも、他方の自動給紙装置から給紙が行なわれ、印刷が自動的に継続されるようになっている。
【０００４】
一方、個人用、家庭用向けに開発された印刷装置は、小型化の要請から自動給紙装置を１つだけ備えたものが主流となっている。
【発明の開示】
【発明が解決しようとする課題】
【０００５】
近年、印刷画質が向上し、個人用、家庭用向けに開発された印刷装置が、いわゆる写真印刷目的でも用いられるようになっている。このような写真印刷には、一般印刷用途の普通紙ではなく写真印刷専用の写真用紙が用いられることが多い。
【０００６】
この場合、ユーザは印刷目的に応じて自動給紙装置にセットする用紙を入れ替えなくてはならない。この手間を省くため、給紙装置を複数個設け、一方を普通紙専用とし、他方を普通紙、写真用紙等の種々の用紙を給紙可能とした印刷装置が提案されている。
【０００７】
このような印刷装置において、普通紙専用の給紙装置から普通紙を給紙して印刷を行なっている途中で用紙切れが発生した場合に、従来のように自動的に他方の給紙装置から給紙して印刷を継続すると好ましくない状況が起こり得る。
【０００８】
すなわち、他方の給紙装置に普通紙ではなく写真用紙がセットされている場合には、普通紙に印刷するつもりであったのに、写真用紙に印刷されてしまう。一般に、写真用紙は普通紙よりも高価格であるため、このような状況は避けたほうが望ましい。
【０００９】
本発明は、複数の給紙装置を備えた印刷システムにおいて、所定の給紙装置で用紙切れが発生した際に、ユーザの意図しない用紙での印刷を防ぐことを目的とする。
【課題を解決するための手段】
【００１０】
上記課題を解決するための本発明の第１の態様である印刷システムは、
複数の給紙装置を備えた印刷装置と印刷制御装置とを有する印刷システムであって、
前記複数の給紙装置のうち１の給紙装置は、特定種類の用紙専用の給紙装置であり、
前記特定種類の用紙での印刷の指示を受け付ける印刷指示受付手段と、
前記特定種類の用紙専用の給紙装置からの給紙による印刷途中で用紙切れが発生した場合に、印刷を中断し、前記特定種類の用紙がなくなったことをユーザに通知する制御手段とを備えることを特徴とする。
【００１１】
本発明によれば、特定の給紙装置で用紙切れが発生した場合に、他の給紙装置からの給紙による印刷を自動的には継続しないようにしているため、ユーザの意図しない用紙での印刷を防ぐことができる。
【００１２】
上記課題を解決するための本発明の第２の態様である印刷制御装置は、
複数の給紙装置を備え、前記複数の給紙装置のうち１の給紙装置は特定種類の用紙専用の給紙装置である印刷装置を制御する印刷制御装置であって、
前記特定種類の用紙での印刷の指示を受け付ける印刷指示受付手段と、
前記特定種類の用紙専用の給紙装置からの給紙による印刷途中で用紙切れが発生したことを前記印刷装置から通知されると、印刷を中断し、前記特定種類の用紙がなくなったことをユーザに通知する制御手段とを備えることを特徴とする。
【００１３】
上記課題を解決するための本発明の第３の態様であるプリンタドライバは、
複数の給紙装置を備え、前記複数の給紙装置のうち１の給紙装置は特定種類の用紙専用の給紙装置である印刷装置を制御する印刷制御装置としてコンピュータを機能させるプリンタドライバであって、
前記特定種類の用紙での印刷の指示を受け付ける印刷指示受付手段と、
前記特定種類の用紙専用の給紙装置からの給紙による印刷途中で用紙切れが発生したことを前記印刷装置から通知されると、印刷を中断し、前記特定種類の用紙がなくなったことをユーザに通知する制御手段としてコンピュータを機能させることを特徴とする。
【００１４】
ここで、前記制御手段は、前記特定種類の用紙がなくなったことをユーザに通知するとともに、他の給紙装置からの給紙により印刷を再開させるか否かの指示を受け付け、
他の給紙装置からの給紙により印刷を再開させない指示を受け付けた場合には、前記特定種類の用紙専用の給紙装置からの給紙により印刷を再開させることができる。
【００１５】
上記課題を解決するための本発明の第４の態様である印刷装置は、
複数の給紙装置を備えた印刷装置であって、
前記複数の給紙装置のうち１の給紙装置は、特定種類の用紙専用の給紙装置であり、
前記特定種類の用紙での印刷の指示を受け付ける印刷指示受付手段と、
前記特定種類の用紙専用の給紙装置からの給紙による印刷途中で用紙切れが発生した場合に、印刷を中断し、前記特定種類の用紙がなくなった旨の情報を出力する制御手段とを備えることを特徴とする。
【００１６】
ここで、筐体の前面に排紙口を有し、
前記特定種類の用紙は普通紙であり、前記特定種類の用紙専用の給紙装置は筐体の前面に設けられており、前記複数の給紙装置の他の給紙装置は、筐体の背面に設けられていることができる。
【００１７】
また、前記制御手段は、前記特定種類の用紙がなくなった旨の情報を出力した後、印刷指示受付手段が他の給紙装置からの給紙により印刷を再開する旨の指示を受け付けると、他の給紙装置からの給紙により印刷を再開し、他の給紙装置からの給紙により印刷を再開しない旨の指示を受け付けると、前記特定種類の用紙専用の給紙装置からの給紙により印刷を再開することが望ましい。
【発明を実施するための最良の形態】
【００１８】
本発明の実施の形態について図面を参照して説明する。
【００１９】
図１は、本発明を適用した印刷システムのハードウェア構成の概要を説明するためのブロック図である。
【００２０】
本図に示すように、印刷システムは、アプリケーションソフトウェアによる各種処理、プリンタドライバによる印刷処理等を実現するためのコンピュータ３０と、このコンピュータ３０に接続される複合機１０とを備えて構成される。複合機１０は、画像読み取り機能（スキャナ機能）を備えたプリンタ装置である。
【００２１】
本実施形態において、コンピュータ３０は、印刷データを生成し、複合機１０に送信する印刷制御装置として機能する。そして、複合機１０は、受信した印刷データに基づいて印刷を行なう印刷装置として機能する。
【００２２】
コンピュータ３０を印刷制御装置として機能させるためのコンピュータプログラムであるプリンタドライバは、一般に複合機１０のメーカによって複合機１０対応に開発され、ＣＤ−ＲＯＭ等の記録媒体に記録されて頒布されたり、インターネット等のコンピュータネットワークを介して流通される。なお、印刷システムの構成はこれに限られない。
【００２３】
コンピュータ３０は、各種プログラムを実行するＣＰＵ（Central Processing Unit）、データおよびプログラム等を一時的に記憶するＲＡＭ（Random Access Memory）、コンピュータ３０を制御するための各種データ、各種プログラム等があらかじめ不揮発的に記憶されているＲＯＭ（Read Only Memory）等を備えた制御部３１と、および、接続されたの周辺装置とのデータの送受信をつかさどる入出力インタフェース部３２とを備えて構成される。
【００２４】
また、コンピュータ３０には、カラーディスプレイ等の表示装置２１、マウス、キーボード等の入力装置２２、ＣＤ−ＲＯＭ等の記録媒体からデータを読み取るメディア読取装置２３、補助記憶装置２４、インターネット等のコンピュータネットワークに接続するための通信制御装置２５等が接続される。ただし、コンピュータ３０の構成はこれに限られない。
【００２５】
複合機１０は、ＣＰＵ、ＲＡＭ、ＲＯＭ等を備え複合機１０の各処理を制御する制御部１１と、原稿台に置かれた原稿から反射光を読み取って画像データに変換するスキャナ部１２と、画像データに基づいて印刷を行なうプリンタ部１３と、コンピュータ３０と通信を行なうための入出力インタフェース部１４と、ユーザからの指示を受け付けたり、複合機１０の状態等を表示するためのユーザインタフェース部１５とを備えて構成される。ただし、複合機１０の構成はこれに限られない。
【００２６】
複合機１０は、スキャナ部１２で読み取った原稿を、プリンタ部１３で印刷できるとともに、コンピュータ３０から送られる印刷データに基づいて、プリンタ部１３で印刷することができる。
【００２７】
スキャナ部１２は、光源、レンズ、走査用モータ、ＣＣＤ（Charge Coupled Devic）センサ等から構成される読取エンジン部１２ａと、Ａ／Ｄ変換部１２ｂとを備えている。読取エンジン部１２ａは、原稿に光を当てながら走査し、その反射光を赤（Ｒ）、緑（Ｇ）、青（Ｂ）のフィルタをかけたＣＣＤセンサに導く処理を行なう。Ａ／Ｄ変換部１２ｂは、ＣＣＤセンサが読み取ったＲＧＢそれぞれについての濃淡のアナログ情報をデジタル信号化（ＲＧＢ信号）して画像データとして出力する。
【００２８】
プリンタ部１３は、インクジェット方式のカラープリンタとすることができる。インクジェット方式のカラープリンタは、筐体内にインクを充填したインクカートリッジを複数備え、このインクを印刷ヘッドに設けられた複数のノズルから印刷用紙等の印刷媒体に吹き付けて印刷を行なう。ただし、プリンタ部１３としてレーザ方式のプリンタを用いるようにしてもよい。
【００２９】
プリンタ部１３は、画像処理部１３ａと印刷エンジン部１３ｂとを備えている。
【００３０】
画像処理部１３ａは、スキャナ部１２が取得した画像データに基づいて印刷エンジン部１３ｂが可能なイメージデータを生成したり、コンピュータ３０から送られた印刷データに基づいてイメージデータを生成する処理を行なう。
【００３１】
印刷エンジン部１３ｂは、印字機構、給排紙機構等を備え、イメージデータに基づいて、複合機１０にセットされた印刷媒体に印刷を行なう。本実施形態において印刷エンジン部１３ｂは、給紙機構として自動給紙装置を２つ備えている。この給紙装置は後述するように複合機１０の筐体の背面および前面に設けられており、それぞれ、背面給紙口１０５、前面給紙口１０６と称するものとする。これらの給紙装置のうち、いずれの給紙装置を用いて給紙を行なうかは、制御部１１からの指示に基づくものとする。
【００３２】
ユーザインタフェース部１５は、例えば、操作ボタンと液晶表示装置とを備えた表示パネルを用いて構成することができる。
【００３３】
図２は、本発明を適用したコンピュータ３０の機能構成を示すブロック図である。
【００３４】
本図に示すようにコンピュータ３０は、アプリケーション部３１０と、オペレーティングシステム（ＯＳ）部３２０と、プリンタドライバ部３３０とを有している。
【００３５】
アプリケーション部３１０は、ワードプロセッサ、グラフィックス等の処理をコンピュータ３０に行なわせるための機能を有しており、アプリケーションプログラムを制御部３１が実行することによりコンピュータ３０上に構築される。アプリケーション部３１０は、この実施形態の印刷対象であるドキュメント３１１を記憶している。
【００３６】
オペレーティングシステム部３２０は、プリンタドライバ部３３０の動作を管理する印刷制御部３２１と、複合機１０に印刷コマンドから構成される印刷データを出力したり、複合機１０からの情報を入力するＩ／Ｏ部３２２とを有している。
【００３７】
プリンタドライバ部３３０は、ドキュメント３１１に関する描画コマンドをスプールファイル３３２に記憶させるスプーラ３３１と、スプールファイル３３２に記憶された描画コマンドに基づいて、複合機１０が解釈できる印刷コマンドを作成する印刷コマンド作成部３３３と、表示装置２１、入力装置２２を制御するユーザインタフェース（ＵＩ）制御部３３５と、このユーザインタフェース制御部３３５から送られてくる印刷条件を管理したり、複合機１０のステータスを取得する印刷条件管理部３３４とを有している。
【００３８】
プリンタドライバ部３３０は、複合機１０のメーカ等が開発したプリンタドライバプログラムを、コンピュータ３０の制御部３１が実行することによりコンピュータ３０上に構築される。プリンタドライバプログラムは、ＣＤ−ＲＯＭ等の記録媒体に記録することで市場に流通させることができる。また、インターネット等のコンピュータネットワークを介して市場に流通させることもできる。
【００３９】
図３は、複合機１０の略断面を説明するための模式図である。本図に示すように、複合機１０は、背面給紙口１０５と前面給紙口１０６との２つの給紙装置を備えており、それぞれに印刷用紙１１０ａ、印刷用紙１１０ｂがセットされている。
【００４０】
複数のローラ１０８により、背面給紙口１０５あるいは前面給紙口１０６から給紙された印刷用紙１１０は、インクカートリッジを搭載したキャリッジ１０３に備えられた印字ヘッドから吐出されたインク滴により印刷面に画像が形成される。印刷された印刷用紙は、複数のローラ１０８により、排紙口１０７から排出される。
【００４１】
背面給紙口１０５と前面給紙口１０６のいずれにおいても、給紙動作の際に印刷用紙１１０が引き込めないことを検知すると、制御部１１は、その自動給紙装置で用紙切れが発生したと判断する。
【００４２】
また、スキャナ部１２の機構として、原稿台１０１と、原稿を走査するラインセンサ１０２とを備え、ユーザインタフェース部１５の機構として操作パネル１０４を備えている。
【００４３】
図４は、複合機１０の給紙機構を説明するための図である。本図に示すように、本実施形態においては、背面給紙口１０５にセットされた印刷用紙１１０ａは、Ｒ１に示すように、大きな弧を描いてキャリッジ１０３方向に給紙されていく。一方、前面給紙口１０６にセットされた印刷用紙１１０ｂは、Ｒ２に示すように、比較的小さな弧を描いてキャリッジ１０３方向に給紙されていく。
【００４４】
一般に写真印刷を行なう場合等には、印刷の仕上がりの品質を高めるため、印刷用紙の反りはなるべく発生しない方がよい。このため、前面に排紙口が設けられている複合機１０のような構造においては、写真用紙等の特殊紙は背面給紙口１０５を用いる方が望ましいといえる。一方で、普通紙のように比較的安価で、一般的な印刷に用いられる用紙は、前面給紙口１０６、背面給紙口１０５のいずれでも問題は生じない。
【００４５】
そこで、本実施形態では、複合機１０の前面給紙口１０６は普通紙の給紙用途に限り、背面給紙口１０５は、普通紙、特殊紙（写真用紙等を含む）のいずれでも給紙可能である仕様とする。すなわち、前面給紙口１０６は、普通紙専用の給紙装置であり、背面給紙口１０５は、汎用の給紙装置である。
【００４６】
つぎに、本実施形態において普通紙に対する印刷を行なう場合のプリンタドライバ部３３０の処理について説明する。
【００４７】
プリンタドライバ部３３０のユーザインタフェース制御部３３５は、例えば、ユーザからのメニュー操作により、図５に一例を示すような基本設定画面５００を表示装置２１に表示させる。
【００４８】
ユーザは、基本設定画面５００の用紙種類選択欄５０１で、印刷に用いる印刷媒体を指定することができる。印刷媒体としては、普通紙、光沢紙、郵便ハガキ等を選択することができる。本実施形態では、普通紙が選択されるものとする。
【００４９】
また、プリンタドライバ部３３０のユーザインタフェース制御部３３５は、例えば、ユーザからのメニュー操作により、図６に一例を示すような用紙設定画面５２０を表示装置２１に表示させる。
【００５０】
ユーザは、用紙設定画面５２０の給紙方法選択欄５２１で、複合機１０における給紙方法を指定することができる。給紙方法としては、自動給紙装置を使用する「自動給紙選択」「背面オートシートフィーダ（背面給紙口１０５）」の他に、手差し給紙口から給紙を行なう「手差し（定形紙）」を選択することができる。本実施形態では、「自動給紙選択」が選択されるものとする。
【００５１】
また、図７に示すように、ユーザは、用紙設定画面５２０の用紙サイズ選択欄５２２で、印刷媒体の用紙サイズを指定することができる。用紙サイズは、Ａ４、Ｂ４、Ｂ５等から選択することができる。本実施形態では、Ａ４が選択されるものとする。
【００５２】
以上より、プリンタドライバ部３３０は、ユーザからの設定に基づいて、印刷用紙がＡ４の普通紙であることを認識することができる。
【００５３】
印刷実行の指示を受け付けると、プリンタドライバ部３３０は、ドキュメント３１１の印刷のための印刷コマンドを生成して複合機１０に印刷データとして送信する。この際に、給紙方法が「自動給紙選択」であること、および、印刷用紙がＡ４普通紙であることを示す情報を印刷データに含めるようにする。
【００５４】
つぎに、普通紙印刷を行なう場合の複合機１０の給紙処理について図８のフロー図を参照して説明する。
【００５５】
まず、複合機１０の入出力インタフェース部１４は、コンピュータ３０から送られた印刷データを受信する（Ｓ１０１）。制御部１１は、印刷データを解釈して、給紙方法が「自動給紙選択」であること、および、印刷用紙がＡ４普通紙であることを判断する。
【００５６】
普通紙に印刷を行なう場合に、給紙方法として「自動給紙選択」が指定されると、複合機１０は、普通紙専用の給紙装置である前面給紙口１０６から普通紙の給紙を行ない印刷を開始する（Ｓ１０２）。
【００５７】
給紙のたびに、前面給紙口１０６で用紙切れが発生したかを判断し（Ｓ１０３）、用紙切れが発生していない場合（Ｓ１０３：Ｎ）には、最終ページを印刷するまで前面給紙口１０６からの給紙による印刷を継続する（Ｓ１０４）。
【００５８】
一方、印刷途中において前面給紙口１０６で用紙切れが発生した場合（Ｓ１０３：Ｙ）には、印刷を中断する（Ｓ１０５）。
【００５９】
ここで、背面給紙口１０５から給紙を行ない印刷を継続することを行なわないのは、背面給紙口１０５に普通紙がセットされている保証がなく、写真用紙等の特殊紙がセットされている可能性があるからである。これにより、ユーザが意図しない用紙での印刷を防ぐことができる。
【００６０】
そして、プリンタドライバ部３３０に対して前面給紙口１０６で用紙切れが発生したことを報告する（Ｓ１０６）。
【００６１】
この報告を受けたプリンタドライバ部３３０のユーザインタフェース制御部３３５は、図９に一例を示すような用紙切れ通知画面５４０を表示装置２１に表示させる。
【００６２】
本図に示すように、用紙切れ通知画面５４０には、前面給紙装置で用紙切れが発生したことが表示される。また、背面給紙装置からの給紙により印刷を継続するかどうかの指示を促し、指示を受け付けるための「Ｙｅｓ」ボタン５４１および「Ｎｏ」ボタン５４２が表示される。さらに、背面給紙口からの給紙を行なわず、前面給紙口からの給紙を継続する場合には、前面給紙口に用紙をセットして「Ｎｏ」ボタンを押す旨が表示される。
【００６３】
ユーザは、背面給紙口１０５にも普通紙をセットしており、背面給紙口１０５からの給紙により印刷を継続させる場合には、本画面５４０で「Ｙｅｓ」ボタン５４１をクリックすることができる。
【００６４】
一方、背面給紙口１０５には写真用紙等の特殊紙をセットしており、背面給紙口１０５からの給紙は行なわず、前面給紙口１０６からの給紙により印刷を継続させる場合には、用紙切れが発生した前面給紙口１０６に普通紙をセットして本画面５４０で「Ｎｏ」ボタン５４２をクリックすることができる。
【００６５】
複合機１０は、用紙切れ通知画面５４０で「Ｙｅｓ」ボタン５４１がクリックされたことをプリンタドライバ部３３０から通知されると（Ｓ１０７：Ｙ）、背面給紙口１０５から給紙を行ない、印刷を再開する（Ｓ１０９）。
【００６６】
一方、用紙切れ通知画面５４０で「Ｎｏ」ボタン５４２がクリックされたことをプリンタドライバ部３３０から通知されると（Ｓ１０７：Ｎ）、前面給紙口１０６から給紙を行ない、印刷を再開する（Ｓ１０８）。
【００６７】
このように、本実施形態によれば、複数の給紙装置を備えた印刷システムにおいて、所定の給紙装置で用紙切れが発生した際に、ユーザが意図しない用紙での印刷を防ぐことができる。ただし、本実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【００６８】
【図１】印刷システムのハードウェア構成の概要を説明するためのブロック図である。
【図２】コンピュータ３０の機能構成を示すブロック図である。
【図３】複合機１０の略断面を説明するための模式図である。
【図４】複合機１０の給紙機構を説明するための図である。
【図５】基本設定画面５００の一例を示す図である。
【図６】用紙設定画面５２０の給紙方法選択欄の一例を示す図である。
【図７】用紙設定画面５２０の用紙サイズ選択欄の一例を示す図である。
【図８】普通紙印刷を行なう場合の複合機１０の給紙処理を説明するフロー図である。
【図９】用紙切れ通知画面５４０の一例を示す図である。
【符号の説明】
【００６９】
１０…複合機、１１…制御部、１２…スキャナ部、１２ａ…読取エンジン部、１２ｂ…Ａ／Ｄ変換部、１３…プリンタ部、１３ａ…画像処理部、１３ｂ…印刷エンジン部、１４…入出力インタフェース部、１５…ユーザインタフェース部、２１…表示装置、２２…入力装置、２３…メディア読取装置、２３…入力装置、２４…補助記憶装置、２５…通信制御装置、３０…コンピュータ、３１…制御部、３２…入出力インタフェース部、１０１…原稿台、１０２…ラインセンサ、１０３…キャリッジ、１０４…操作パネル、１０５…背面給紙口、１０６…前面給紙口、１０７…排紙口、１０８…ローラ、１１０…印刷用紙、３１０…アプリケーション部、３１１…ドキュメント、３２０…オペレーティングシステム部、３２１…印刷制御部、３２２…Ｉ／Ｏ部、３３０…プリンタドライバ部、３３１…スプーラ、３３２…スプールファイル、３３３…印刷コマンド作成部、３３４…印刷条件管理部、３３５…ユーザインタフェース制御部
【図１】
2006088337.tif 000003
【図２】
2006088337.tif 000004
【図３】
2006088337.tif 000005
【図４】
2006088337.tif 000006
【図５】
2006088337.tif 000007
【図６】
2006088337.tif 000008
【図７】
2006088337.tif 000009
【図８】
2006088337.tif 000010
【図９】
2006088337.tif 000011